(57)【特許請求の範囲】
【請求項１】
化粧料収容部を有する容器本体と蓋体とがその後端同士を回動開閉可能に連結され、容器本体の前部と蓋体の前部には、蓋体の全閉時に互いに係合し蓋体の開放時に解除される係合部が各々設けられ、容器本体の前部と蓋体の前部のいずれか一方には前記係合部の係合を解除せしめる開放操作片が弾性部材により前方側に付勢された状態で前後方向に移動可能に取り付けられ、開放操作片を後方に押し込むことにより容器本体と蓋体の両係合部の係合が解除される化粧用コンパクト容器において、
前記開放操作片は、前記蓋体の全閉状態ではその前縁が前記容器本体及び蓋体の前縁よりも前方に突出しており、この状態から開放操作片を押し込み終端まで押し込んで該開放操作片の前縁が前記容器本体及び蓋体の前縁よりも後方に引っ込ませることにより前記係合部の係合を解除せしめる移動ストロークを有する、ことを特徴とする化粧用コンパクト容器。
【請求項２】
前記蓋体は容器本体に対して上下方向に回動して開閉するようになっていて、容器本体の係合部と蓋体の係合部は閉蓋時に互いに上下位置で係合するようになっていて、容器本体の係合部と蓋体の係合部は閉蓋時互いに上下位置で係合するようになっており、前記開放操作片と容器本体との間、もしくは開放操作片と蓋体との間には、開放操作片を後方終端まで押し込んだ時に容器本体と蓋体とを離反せしめる力を生じさせるカム機構が設けられていることを特徴とする請求項１に記載の化粧用コンパクト容器。
【請求項３】
前記開放操作片は前記容器本体に取り付けられていて、この開放操作片は、操作部と、この操作部から一体に延びる前記弾性部材としての弾性アーム部とを備え、操作部の前縁が開放操作片の前記前縁になっていて、操作部には、弾性アーム部の弾性に抗して後方に押し込んだ時に前記蓋体に係合して蓋体を押し上げる後方に向かって下り勾配のカム面が形成されていることを特徴とする請求項２に記載の化粧用コンパクト容器。
【請求項４】
前記容器本体の前部には後方に向かって登り勾配のカム面が形成されており、前記開放操作片は容器本体に取り付けられていて、後方に押し込まれた時に前記カム面を摺動して斜め上方に弾性屈曲して前記蓋体を押し上げる押し上げ部を備え、前記弾性部材は容器本体から一体に延びる弾性アームにより構成されていることを特徴とする請求項２に記載の化粧用コンパクト容器。
【発明の詳細な説明】
【０００１】
【産業上の利用分野】
本発明は化粧用のコンパクト容器に関するものである。
【０００２】
【従来の技術】
周知の如く、化粧用コンパクト容器には、化粧料収容部を有する容器本体の後端に蓋体の後端が回動可能に連結され、この連結部を回転中心にして蓋体を容器本体に対して上下方向に回動することにより開閉できるようになっていて、蓋体の全閉時には容器本体の前部と蓋体の前部のそれぞれに設けた係合部が互いに係合して全閉状態を保持し、容器本体の前部あるいは蓋体の前部に設けた開放操作片を押し込み操作することにより前記係合部の係合を解除せしめて蓋体を開方向に回動することができるようになっているものがある。
【０００３】
【発明が解決しようとする課題】
ところで、この種の化粧用コンパクト容器においては、蓋体の全閉時に、開放操作片の前縁が容器本体あるいは蓋体の前縁と面一もしくはそれよりも引っ込んで位置するように設定するのが一般的である。これは、開放操作片が不用意に押し込まれて蓋体が開放するのを防止するためである。
【０００４】
しかしながら、デザイン上の要望等により、蓋体の全閉時において開放操作片を容器本体及び蓋体の前縁よりも前方に突出させる場合もある。
このように開放操作片を突出させた従来の化粧用コンパクト容器では、蓋体を全閉にしておいたにもかかわらず、ハンドバック等に入れて持ち歩いている間に、開放操作片が後方に押し込まれて容器本体と蓋体の係合部の係合が解除され、蓋体が不用意に開いてしまう虞があった。
【０００５】
本発明はこのような従来の技術の問題点に鑑みてなされたものであり、携行時等に不用意に蓋体が開かないようにした化粧用コンパクト容器を提供することを目的とする。
【０００６】
【課題を解決するための手段】
本発明は前記課題を解決するために、以下の手段を採用した。
(１)本発明の化粧用コンパクト容器は、化粧料収容部を有する容器本体と蓋体とがその後端同士を回動開閉可能に連結され、容器本体の前部と蓋体の前部には、蓋体の全閉時に互いに係合し蓋体の開放時に解除される係合部が各々設けられ、容器本体の前部と蓋体の前部のいずれか一方には前記係合部の係合を解除せしめる開放操作片が弾性部材により前方側に付勢された状態で前後方向に移動可能に取り付けられ、開放操作片を後方に押し込むことにより容器本体と蓋体の両係合部の係合が解除される化粧用コンパクト容器であって、
前記開放操作片は、前記蓋体の全閉状態ではその前縁が前記容器本体及び蓋体の前縁よりも前方に突出しており、この状態から開放操作片を押し込み集端まで押し込んで該操作片の前縁が前記容器本体及び蓋体の前縁よりも後方に引っ込ませることにより前記係合部の係合を解除せしめる移動ストロークを有する、ことを特徴とする（請求項１に対応）。
【０００７】
前記開放操作片は容器本体に設けてもよいし蓋体に設けてもよい。
又、開放操作片と弾性部材は別部品で構成してもよいし、両者が一体化された単一部品で構成してもよい。
【０００８】
（２）本発明の化粧用コンパクト容器は前記（１）の構成を前提として、次の構成を採用することも可能である。即ち、前記蓋体を容器本体に対して上下方向に回動して開閉するようにし、容器本体の係合部と蓋体の係合部は閉蓋時に互いに上下位置で係合するようにし、前記開放操作片と容器本体との間、もしくは開放操作片と蓋体との間にカム機構を設け、このカム機構は開放操作片を後方終端まで押し込んだ時に容器本体と蓋体とを離反せしめる力を生じさせるように構成する（請求項２に対応）。
【０００９】
尚、開放操作片を蓋体に取り付けた場合、及び、開放操作片を容器本体に取り付けた場合のいずれの場合にも、カム機構は開放操作片と容器本体との間に設けることが可能であり、あるいは、カム機構を開放操作片と蓋体との間に設けることが可能である。カム機構は、容器本体及び蓋体の係合部に近接した位置に設けるのが、力の作用の点で好ましい。
【００１０】
（３）本発明の化粧用コンパクト容器は前記（２）の構成を前提として、次の構成を採用することも可能である。即ち、前記開放操作片を前記容器本体に取り付け、この開放操作片に、操作部と、この操作部から一体に延びる前記弾性部材としての弾性アーム部とを設け、操作部の前縁を開放操作片の前記前縁とし、操作部には後方に向かって下り勾配のカム面を形成し、操作部を弾性アーム部の弾性に抗して後方に押し込んだ時に前記カム面が前記蓋体に係合して蓋体を押し上げるようにする（請求項３に対応）。
【００１１】
（４）本発明の化粧用コンパクト容器は前記（２）の構成を前提として、次の構成を採用することも可能である。即ち、前記容器本体の前部には後方に向かって登り勾配のカム面を形成し、前記開放操作片を容器本体に取り付け、開放操作片には、後方に押し込まれた時に前記カム面を摺動して斜め上方に弾性屈曲し前記蓋体を押し上げる押し上げ部を設け、前記弾性部材は容器本体から一体に延びる弾性アームにより構成する（請求項４に対応）。
【００１２】
この場合に、容器本体を、本体外枠と、この本体外枠の内側に固定された本体中枠とで構成したときには、弾性アームを本体外枠に設けることも可能であり、本体中枠に設けることも可能である。
【００１３】
【作用】
蓋体を全閉にして容器本体と蓋体の両係合部を係合させた状態では、開放操作片の前縁が容器本体及び蓋体の前縁よりも前方に突出している。
【００１４】
この全閉状態から開放操作片を後方に押し込んでいった時に、開放操作片の前縁と容器本体及び蓋体の前縁とが面一になった時点では、容器本体の係合部と蓋体の係合部との係合は保持されている。したがって、この時点では蓋体は開放されずに、全閉状態に保持される。
【００１５】
蓋体を開放するには、この状態よりも更に後方に開放操作片を押し込み、開放操作片の前縁を容器本体及び蓋体の前縁よりも後方側に位置せしめる。この位置まで開放操作片を押し込むと、容器本体の係合部と蓋体の係合部の係合が解除されて、蓋体を開方向に回動することが可能となる。
【００１６】
この化粧用コンパクト容器をハンドバック等に収納して携行した場合に、ハンドバックの内面等がコンパクト容器の開放操作片に突き当たり開放操作片を押し込むこともあるが、ハンドバックの内面等はその内面等が容器本体及び蓋体の前縁に突き当たるまでしか開放操作片を押し込むことができない。前述したように、開放操作片をこの位置まで押し込んだだけでは容器本体及び蓋体の係合部の係合は解除されないので、蓋体が不用意に開くことがない。
【００１７】
弾性部材を容器本体に設けると、弾性部材の付勢力の強弱設定の自由度が大きく、又、開放操作片の組み付け等が行い易い。
【００１８】
【実施例】
以下、本発明の実施例を図１から図１５の図面に基いて説明する。
【００１９】
〈第１実施例〉
図１から図５は本発明の第１実施例の化粧用コンパクト容器（以下、コンパクト容器という）１Ａを示している。
【００２０】
図５はコンパクト容器１Ａの全閉状態における外観側面図である。
コンパクト容器１Ａは、容器本体１０の後端と蓋体３０の後端とをピン２９によって回動可能に連結して構成されており、このピン２９を回転中心にして蓋体３０を容器本体１０に対して上下方向に回動することによって開閉できるようになっている。又、このコンパクト容器１Ａはその前部に開放操作片４０を備えている。
【００２１】
図１から図３はコンパクト容器１Ａの前部における拡大断面図であり、図４は容器本体１０の前部の分解斜視図である。
容器本体１０は、皿形をなす本体外枠１１と、この本体外枠１１の内側に嵌め込まれて固着された本体中枠２０とを備えている。
【００２２】
本体外枠１１は底板部１３と周壁部１２を備え、周壁部１２の前部には切欠部１５が形成されている。切欠部１５には、上方に起立して延びる起立部１６が設けられており、この起立部１６の上端には係合部１７が前方に突出し、起立部１６の途中からは前方に向かってガイドアーム１８が水平に突き出ている。
【００２３】
又、容器本体１０の底板部１３には、前記起立部１６から左右両側に離間した位置に、それぞれ押さえ片１９，１９が上方に突出して設けられている。
【００２４】
本体中枠２０には、内部が化粧料収容部２１にされた中皿２２と、内部がパフ収容部２３にされたパフ皿２４とが形成されている。
【００２５】
蓋体３０の前部には、容器本体１０の切欠部１５に対応する位置に、下方に延びるアーム部３１が形成されており、アーム部３１の下端に係合部３２が後方に突出している。この係合部３２は、図１及び図２に示すように蓋体３０を全閉にした時に容器本体１０の係合部１７と係合して、蓋体３０を全閉状態に保持する。
【００２６】
開放操作片４０は樹脂製で弾性を有しており、操作部４１の両端部から弾性アーム部（弾性部材）４２，４２が左右に延びて構成されている。操作部４１は、コンパクト容器１Ａの後方に向かって下り勾配のカム面４３と、容器本体１０のガイドアーム１８が挿入可能な溝４４とを備えている。カム面４３は蓋体３０のアーム部３１とともにカム機構を構成する。
【００２７】
この開放操作片４０は、操作部４１を容器本体１０の切欠部１５に挿入させ、弾性アーム部４２，４２をそれぞれ本体外枠１１の周壁部１２と押さえ片１９，１９との間に挿入させ、且つ、弾性アーム部４２，４２の各端部を押さえ片１９，１９に突き当てて、容器本体１０に取り付けられており、この取付状態において、開放操作片４０は弾性アーム部４２，４２の弾性により容器本体１０の前方に向かって付勢されている。
【００２８】
尚、両弾性アーム部４２の端部に設けた突起４６が押さえ片１９に係止して開放操作片４０の抜け止めをする。
【００２９】
この開放操作片４０は、弾性アーム部４２，４２の弾性に抗して操作部４１を後方に押し込むことができるようになっており、その押し込み終端で、図３に示すように開放操作片４０の前面４５が容器本体１０の前縁１４及び蓋体３０の前縁３３よりも後方に引っ込んで位置するようにストローク設定されている。
【００３０】
又、このコンパクト容器１Ａでは、容器本体１０の係合部１７と蓋体３０の係合部３２の係合及び解除のタイミングが以下の如くなるように、開放操作片４０における操作部４１の押し込み寸法及びストロークが設定されている。
【００３１】
図１は、容器本体１０の係合部１７と蓋体３０の係合部３２とを係合させて蓋体３０を全閉にした状態を示しており、開放操作片４０の操作部４１が前方に最大限突出した状態を示している。この時には、開放操作片４０のカム面４３が蓋体３０のアーム部３１から離間して位置しており、操作部４１の前面（前縁）４５が容器本体１０の前縁１４及び蓋体３０の前縁３３よりも前方に突出している。
【００３２】
図２は、図１の状態から操作部４１を後方に押し込み、開放操作片４０の前面４５と容器本体１０の前縁１４及び蓋体３０の前縁３３とを一致させた状態を示している。この時に、開放操作片４０のカム面４３と蓋体３０のアーム部３１がかすかに接触するが、この状態ではアーム部３１を上方に押し上げる力は生じない。
【００３３】
操作部４１を図２の状態よりも更に後方に押し込むと、カム面４３のカム作用により蓋体３０のアーム部３１に上向きの力が作用し、蓋体３０を上方に押し上げる。
【００３４】
そして、図３に示すように操作部４１を終端まで押し込むと、蓋体３０の係合部３２が容器本体１０の係合部１７を乗り越え、両係合部１７，３２の係合が解除される。
【００３５】
尚、開放操作片４０から手を離すと、開放操作片４０は弾性アーム部４２の弾性により前方に押し戻され図１のように位置することとなる。
この後は、蓋体３０を容器本体１０に対して上方に回転することにより蓋体３０を開けることができる。
【００３６】
とろこで、このコンパクト容器１Ａをハンドバック等に収納して携行した場合に、コンパクト容器１Ａの開放操作片４０がハンドバックの内面等に突き当たり開放操作片４０の操作部４１を押し込むことがある。
【００３７】
しかしながら、このコンパクト容器１Ａにおいては、ハンドバックの内面等は当該内面等が容器本体１０の前縁１４及び蓋体３０の前縁３３に突き当たるまでしか操作部４１を押し込むことができない。この状態は正に図２の状態であり、前述したように図２の状態では容器本体１０の係合部１７と蓋体３０の係合部３２との係合は解除されず、蓋体３０は全閉状態に保持される。したがって、コンパクト容器１Ａの蓋体３０が不用意に開くことがない。
【００３８】
〈第２実施例〉
図６から図１１は本発明の第２実施例のコンパクト容器１Ｂを示している。図１１はコンパクト容器１Ｂの全閉状態における外観側面図である。
【００３９】
コンパクト容器１Ｂは、容器本体５０の後端と蓋体８０の後端とをピン６９によって回動可能に連結して構成されており、このピン６９を回転中心にして蓋体８０を容器本体５０に対して上下方向に回動することによって開閉できるようになっている。又、このコンパクト容器１Ｂはその前部に開放操作片９０を備えている。
【００４０】
図１０は蓋体８０を取り外した状態を示すコンパクト容器１Ｂの平面図であり、図６は図１０の要部拡大図であり、図７から図９はコンパクト容器１Ｂの前部における拡大断面図である。
【００４１】
容器本体５０は、皿形をなす本体外枠５１と、この本体外枠５１の内側に嵌着された本体中枠７０とを備えている。
本体外枠５１は底板部５３と周壁部５２を備え、周壁部５２の前部には切欠凹部５５が形成されている。切欠凹部５５の後端起立壁部５６の中央底部には貫通孔５７が設けられ、貫通孔５７の上部からガイドアーム５８が前方に向かって水平に突き出し、ガイドアーム５８の上部にカム面５９が後方に向かって登り勾配に形成されており、更にカム面５９の上部である起立壁部５６の中央上端には係合部６０が前方に突出している。
【００４２】
本体中枠７０には、内部が化粧料収容部７１にされた中皿７２と、内部がパフ収容部７３にされたパフ皿７４とが形成されている。前記切欠凹部５５の近傍に位置する中皿７２の周壁部からは弾性アーム（弾性部材）７５が一体的に延びており、その先端部７６は前記本体外枠５１の貫通孔５７の後方に位置している。
【００４３】
蓋体８０は、蓋外枠８１と、蓋外枠８１の内側に嵌着された蓋中枠８２とを備えている。蓋中枠８２の前部には、容器本体５０の切欠凹部５５に対応する位置に、下方に延びるアーム部８３が形成されており、アーム部８３の下端に係合部８４が後方に突出している。この係合部８４は、図７及び図８に示すように蓋体８０を全閉にした時に容器本体５０の係合部６０と係合して、蓋体８０を全閉状態に保持する。
【００４４】
開放操作片９０は樹脂製で、前記本体外枠５１の切欠凹部５５に装着されており、本体外枠５１から離脱不能で且つ前後動可能に取り付けられている。開放操作片９０はその底部中央から後方に突出する板状の舌片９１を有し、この舌片９１は前記本体外枠５１の貫通孔５７を貫通して前記弾性アーム７５の先端部７６に突き当たっており、この弾性アーム７５の弾性によって開放操作片９０は容器本体５０の前方に向かって付勢されている。
【００４５】
又、この開放操作片９０には、弾性アーム７５の上方に隙間９２を介して押し上げ部９３が設けられている。押し上げ部９３はその基部に弾性屈曲可能な薄肉ヒンジ９４を備えて後方に突出しており、前記本体外枠５１のガイドアーム５８の上位に位置し、蓋体８０のアーム部８３の底部にほぼ接触して配されている。そして、隙間９２に本体外枠５１のガイドアーム５８が挿入されている。この押し上げ部９３は本体外枠５１のカム面５９とともにカム機構を構成する。
【００４６】
この開放操作片９０は、弾性アーム７５の弾性に抗して後方に押し込むことができるようになっており、その押し込み終端で、図９に示すように開放操作片９０の前縁９５が容器本体５０の前縁５４及び蓋体８０の前縁８５よりも後方に引っ込んで位置するようにストローク設定されている。
【００４７】
又、このコンパクト容器１Ｂでは、容器本体５０の係合部６０と蓋体８０の係合部８４の係合及び解除のタイミングが以下の如くなるように、開放操作片９０の押し込み寸法及びストロークが設定されている。
【００４８】
図７は、容器本体５０の係合部６０と蓋体８０の係合部８４とを係合させて蓋体８０を全閉にした状態を示しており、開放操作片９０が前方に最大限突出した状態を示している。この時には、開放操作片９０の押し上げ部９３は容器本体５０のカム面５９から離間して位置しており、開放操作片９０の前縁９５が容器本体５０の前縁５４及び蓋体８０の前縁８５よりも前方に突出している。
【００４９】
図８は、図７の状態から開放操作片９０を後方に押し込み、開放操作片９０の前縁９５と容器本体５０の前縁５４及び蓋体８０の前縁８５とを一致させた状態を示している。この時、開放操作片９０の押し上げ部９３の先端が容器本体５０のカム面５９に初めて接触するが、この状態ではアーム部８３を上方に押し上げる力は生じない。
【００５０】
開放操作片９０を図８の状態よりも更に後方に押し込むと、押し上げ部９３が薄肉ヒンジ９４を屈曲させながらカム面５９によって斜め上方に案内される。そして、この押し上げ部９３が蓋体８０のアーム部８３を上方に押し上げ、即ち蓋体８０を上方に押し上げる。
【００５１】
そして、図９に示すように開放操作片９０を終端まで押し込むと、蓋体８０の係合部８４が容器本体５０の係合部６０を乗り越え、両係合部６０，８４の係合が解除される。
【００５２】
尚、開放操作片９０から手を離すと、開放操作片９０は弾性アーム７５の弾性により前方に押し戻され図７のように位置することとなる。
この後は、蓋体８０を容器本体５０に対して上方に回転することにより蓋体８０を開けることができる。
【００５３】
とろこで、このコンパクト容器１Ｂをハンドバック等に収納して携行した場合に、コンパクト容器１Ｂの開放操作片９０がハンドバックの内面等に突き当たり開放操作片９０を押し込むことがある。
【００５４】
しかしながら、このコンパクト容器１Ｂにおいては、ハンドバックの内面等は当該内面等が容器本体５０の前縁５４及び蓋体８０の前縁８５に突き当たるまでしか開放操作片９０を押し込むことができない。この状態は正に図８の状態であり、前述したように図８の状態では容器本体５０の係合部６０と蓋体８０の係合部８４との係合は解除されず、蓋体８０は全閉状態に保持される。したがって、コンパクト容器１Ｂの蓋体８０が不用意に開くことがない。
【００５５】
〈第３実施例〉
図１２から図１５は本発明の第３実施例のコンパクト容器１Ｃを示している。図１２は開放操作片９０周りにおける容器本体５０の平面図であり、図１３から図１５はコンパクト容器１Ｃの前部における拡大断面図である。
【００５６】
この第３実施例のコンパクト容器１Ｃの基本的な構成は第２実施例のコンパクト容器１Ｂと同じである。構成上ただ一つ相違する点は、開放操作片９０を前方に付勢するための弾性部材の取付位置にある。
【００５７】
即ち、第２実施例のコンパクト容器１Ｂでは、弾性アーム７５が容器本体５０の本体中枠７０に一体的に設けられているが、第３実施例のコンパクト容器１Ｃにおいては、容器本体５０の本体外枠５１に弾性アーム（弾性部材）６１が一体的に設けられている。
【００５８】
詳述すると、弾性アーム６１はその基部６２を本体外枠５１の底板部５３から起立させて、先端を本体外枠５１の貫通孔５７の後方に位置させており、先端部６３を開放操作片９０の舌片９１の後端に突き当てて開放操作片９０を前方に付勢している。尚、この弾性アーム６１の機能は第２実施例の弾性アーム７５と同じである。
【００５９】
その他の構成については第２実施例のコンパクト容器１Ｂと全く同じであるので、同一態様部分に同一符号を付して説明を省略する。又、第３実施例のコンパクト容器１Ｃの作用、効果についても、第２実施例のコンパクト容器１Ｂと同じであるのでその説明は省略する。
【００６０】
尚、第２実施例及び第３実施例のコンパクト容器１Ｂ，１Ｃのように弾性部材（弾性アーム６１，７５）を容器本体５０に設ける方が、第１実施例のコンパクト容器１Ａのように弾性部材（弾性アーム部４２）を開放操作片４０に一体に設けるよりも、弾性部材の付勢力の強弱設定の自由度が大きく、又、開放操作片９０の組み付け等が行い易いという利点がある。
【００６１】
【発明の効果】
以上説明したように、本発明によれば、蓋体の全閉状態で開放操作片の前縁が容器本体及び蓋体の前縁よりも前方に突出しているが、この状態から開放操作片を後方に押し込み開放操作片の前縁が容器本体及び蓋体の前縁よりも後方側に位置した時点で開放操作片が前記係合部の係合を解除せしめるように、開放操作片の移動ストロークを設定したので、コンパクト容器をハンドバッグ等に収納して携行している時に蓋体が不用意に開くのを防止することができる、という優れた効果が奏される。
【００６２】
弾性部材を容器本体に設けると、弾性部材の付勢力の強弱設定の自由度が大きく、又、開放操作片の組み付け等が行い易い。
【図面の簡単な説明】
【図１】本発明の第１実施例の化粧用コンパクト容器の前部における断面図であり、開放操作片を押し込む前の状態を示す図である。
【図２】本発明の第１実施例の化粧用コンパクト容器の前部における断面図であり、開放操作片を途中まで押し込んだ状態を示す図である。
【図３】本発明の第１実施例の化粧用コンパクト容器の前部における断面図であり、開放操作片を終端まで押し込んだ状態を示す図である。
【図４】本発明の第１実施例の化粧用コンパクト容器における容器本体の前部の分解斜視図である。
【図５】本発明の第１実施例の化粧用コンパクト容器の外観側面図である。
【図６】本発明の第２実施例の化粧用コンパクト容器における容器本体の開放操作片周りの平面図である。
【図７】本発明の第２実施例の化粧用コンパクト容器の前部における断面図であり、開放操作片を押し込む前の状態を示す図である。
【図８】本発明の第２実施例の化粧用コンパクト容器の前部における断面図であり、開放操作片を途中まで押し込んだ状態を示す図である。
【図９】本発明の第２実施例の化粧用コンパクト容器の前部における断面図であり、開放操作片を終端まで押し込んだ状態を示す図である。
【図１０】本発明の第２実施例の化粧用コンパクト容器において蓋体を取り外した状態の容器本体の平面図である。
【図１１】本発明の第２実施例の化粧用コンパクト容器の外観側面図である。
【図１２】本発明の第３実施例の化粧用コンパクト容器における容器本体の開放操作片周りの平面図である。
【図１３】本発明の第３実施例の化粧用コンパクト容器の前部における断面図であり、開放操作片を押し込む前の状態を示す図である。
【図１４】本発明の第３実施例の化粧用コンパクト容器の前部における断面図であり、開放操作片を途中まで押し込んだ状態を示す図である。
【図１５】本発明の第３実施例の化粧用コンパクト容器の前部における断面図であり、開放操作片を終端まで押し込んだ状態を示す図である。
【符号の説明】
１Ａ，１Ｂ，１Ｃ  化粧用コンパクト容器
１０，５０  容器本体
１１，５１  本体外枠
１４，５４  前縁
１７，６０  係合部
２０，７０  本体中枠
２１，７１  化粧料収容部
３０，８０  蓋体
３１  アーム部（カム機構）
３２，８４  係合部
３３，８５  前縁
４０，９０  開放操作片
４１  操作部
４２  弾性アーム部（弾性部材）
４３  カム面（カム機構）
４５，９５  前面（前縁）
５９  カム面（カム機構）
６１，７５  弾性アーム（弾性部材）
９３  押し上げ部
【図１】
0003976805.tif 000002
【図２】
0003976805.tif 000003
【図３】
0003976805.tif 000004
【図４】
0003976805.tif 000005
【図５】
0003976805.tif 000006
【図６】
0003976805.tif 000007
【図７】
0003976805.tif 000008
【図８】
0003976805.tif 000009
【図９】
0003976805.tif 000010
【図１０】
0003976805.tif 000011
【図１１】
0003976805.tif 000012
【図１２】
0003976805.tif 000013
【図１３】
0003976805.tif 000014
【図１４】
0003976805.tif 000015
【図１５】
0003976805.tif 000016